(57)【特許請求の範囲】
【請求項１】
先端開口部に蓋を備えている中空の筒状ケース内に、後端側に上部板を備えた中間ケースが、当該筒状ケース先端側と後端側との間で移動できるように摺動自在に内装され、当該中間ケース内に、前記筒状ケースの先端側に向かう端側に化粧用具又は化粧品が嵌挿固定される装着部と当該装着部の後端に連設される上部片及び下部片を備える内筒が、前記筒状ケースの先端側と後端側との間及び前記中間ケースの先端側と後端側との間で移動できるように摺動自在に内装され、前記内筒と前記筒状ケース及び、前記中間ケースと前記筒状ケースとは、それぞれの間にロック機構を備えていると共に、前記内筒と前記中間ケースとの間に係脱手段が備えられている化粧用具及び化粧品の収納ケースであって、
前記中間ケースと前記筒状ケースとの間のロック機構は、前記化粧用具又は化粧品が筒状ケース内に収容されているときに、中間ケースに備えられている第一の係止部が、筒状ケースの先端側と後端側との間に延びる溝の後端側部に備えられている第二の係止部に係合することによるロック機構と、前記化粧用具又は化粧品を筒状ケースの先端開口部から突出させるべく前記内筒と中間ケースとを筒状ケースの先端側に向けて移動させるときに、前記溝の中間部に備えられている第三の係止部に、中間ケースに備えられている前記第一の係止部が係合することによるロック機構とを含み、
前記内筒と前記筒状ケースとの間のロック機構は、前記化粧用具又は化粧品が筒状ケースの先端開口部から突出しているときに、内筒に備えられている第四の係止部が、筒状ケースの先端側と後端側との間に延びる前記溝の先端側端部に備えられている第五の係止部に係合することによるロック機構を含み、
前記内筒と中間ケースとの間の係脱手段は、前記化粧用具又は化粧品を筒状ケースの先端開口部から突出させるべく、前記内筒と中間ケースとを筒状ケースの先端側に向けて移動させるときに、前記中間ケースの後端側と、内筒の後端側とが互いに係合し、筒状ケースの先端側と後端側との間に延びる溝の中間部に備えられている前記第三の係止部に、中間ケースに備えられている前記第一の係止部が係合することによる前記中間ケースと筒状ケースとの間のロック機構によって筒状ケースと中間ケースとがロックされた際に、前記中間ケース後端側と内筒後端側との間の係合が解除されて内筒のみが先端側に移動でき、化粧用具又は化粧品を筒状ケース内に収容するべく、内筒を筒状ケースの後端側に向けて移動させ、当該内筒の後端側が前記中間ケースに備えられている前記第一の係止部と前記溝の中間部に備えられている前記第三の係止部との間からなる前記中間ケースと筒状ケースとの間のロック機構の位置に到達した時に、前記中間ケースの後端側と内筒の後端側とが互いに係合するものである、ことを特徴とする化粧用具及び化粧品の収納ケース。
【請求項２】
前記内筒と中間ケースとの間の係脱手段は、前記化粧用具又は化粧品を筒状ケースの先端開口部から突出させるべく、前記内筒と中間ケースとを筒状ケースの先端側に向けて移動させるときに、中間ケースの前記上部板の後端部に位置し上面側に前記第一の係止部を備えた受け部と、内筒の前記下部片後端から上方に立ち上がる立上り片とが互いに係合し、筒状ケースの先端側と後端側との間に延びる溝の中間部に備えられている前記第三の係止部に、中間ケースに備えられている前記第一の係止部が係合することによる前記中間ケースと筒状ケースとの間のロック機構によって筒状ケースと中間ケースとがロックされた際に、中間ケースの前記受け部と内筒の前記立上り片との間の係合が解除されて内筒のみが先端側に移動でき、化粧用具又は化粧品を筒状ケース内に収容するべく、内筒を筒状ケースの後端側に向けて移動させ、内筒の前記上部片後端側が前記中間ケースに備えられている第一の係止部と前記溝の中間部に備えられている第三の係止部との間からなる前記中間ケースと筒状ケースとの間のロック機構の位置に到達した時に、中間ケースの前記受け部と内筒の前記上部片後端側とが互いに係合するものであって、
立上り片は、その上方向端部と前記筒状ケースの上壁内面との間隔が、前記受け部の厚さ以上で、かつ前記受け部の厚さに前記第一の係止部の高さを加えた距離未満であって、
立上り片の上方向端部は、内筒の上部片の後端より後方に位置し、立上がり片の上方向端部と上部片の後端との間隔は、前記受け部の前後方向の幅以上である、ことを特徴とする請求項１記載の化粧用具及び化粧品の収納ケース。
【発明の詳細な説明】
【０００１】
【技術分野】
この発明は、刷毛などの化粧用具、口紅などの化粧品を収納するケースに関する。特に、片手操作によって、ケースの蓋の開閉及びケースに収納された化粧用具、化粧品を出し入れできる化粧用具及び化粧品のケースに関する。
【０００２】
【背景技術】
従来、化粧用具、化粧品を収納するケースには、本体部、蓋部に雌雄の螺糸を設け、蓋部又は本体部を回転させることによって蓋部を着脱するものや、本体部に蓋部を被冠し、摩擦力によって蓋部を本体部に装着しておくもの等がある。
【０００３】
前記従来の化粧用具、化粧品を収納するケースでは、蓋部の着脱、ケースに収納された化粧用具、化粧品の出し入れは、両手で操作する必要があるものが殆どであり、片手操作ができない問題点があった。
【０００４】
また刷毛を収容するケースでは、刷毛の穂先側がケースの断面積より大きく拡がるものが多く、収納時にケースの端面に刷毛が接触することがある。このように刷毛の周囲がケースの端面に接触すると、刷毛に付着した化粧品でケース外壁を汚すおそれもあった。
【０００５】
【発明の開示】
この発明は、化粧用具又は化粧品が取付けられ、蓋付の筒状ケース内に収納される内筒と前記蓋付の筒状ケースとの間に、さらに中間ケースを摺動自在に収納した化粧用具及び化粧品の収納ケースである。この収納ケースにおいて、中間ケースと内筒は、夫々筒状ケースにロックできるとともに、筒状ケース内で順次摺動できるようにすることにより、前記従来の問題点を解決したのである。
【０００６】
すなわち、この発明は、蓋付の筒状ケース内へ、中間ケースが摺動自在に内装され、前記中間ケース内へ化粧用具又は化粧品が嵌挿固定される内筒が摺動自在に内装され、前記内筒と、前記中間ケースは、夫々ロック機構を備えると共に、前記内筒と前記中間ケースとの係脱手段を備えたことを特徴とする化粧用具及び化粧品の収納ケースである。また、中間ケースのロック機構は、筒状ケースの係止凹部と、当該係止凹部に係脱可能な中間ケースの突起としたものであり、内筒のロック機構は、筒状ケースの係止凹部と、当該係止凹部に係脱可能な内筒の操作片としたものである。さらに、内筒と中間ケースとの係脱手段は、中間ケースに設けられた受け部と、当該受け部に当接する内筒の立上り片とした化粧用具及び化粧品の収納ケースである。
【０００７】
前記蓋付の筒状ケースは、この発明の化粧用具及び化粧品の収納ケースの最外殻を構成するケースである。
【０００８】
筒状ケースは、長手方向を前後方向とする一端開口の筒体であって、前記内筒の操作片が突出し、当該操作片の取付部が前後移動することができ前側に終端を、後側に始端を位置させた溝、前記内筒のロック機構を構成する係止凹部、前記中間ケースのロック機構を構成する係止凹部を設けることができる。
【０００９】
なお、以後、本明細書中、収納ケースの前側とは、筒状ケースの開口側を指すものとする。
【００１０】
蓋は、化粧用具、化粧品の収納時に筒状ケースを閉じるように筒状ケースの開口端に取り付けられている。この蓋が取り付けられた筒状ケースの開口端から化粧用具、化粧品が出入りすることになる。この蓋は、筒状ケース内に内装された中間ケースが摺動し、筒状ケースから突出することによって押し開けられ、中間ケースが筒状ケース内に収納されると閉鎖されるようになっている。
【００１１】
前記中間ケースは、刷毛の先端部分や、化粧用具、化粧品を直接収納するケースである。すなわち、中間ケースは、化粧用具、化粧品を前記筒状ケースに直接収納すると、収納時に筒状ケースの外壁に化粧品が付着することを防止する為、化粧用具、化粧品を筒状ケースに収納する以前に、化粧用具、化粧品を収納しておくケースである。
【００１２】
また、この中間ケースは、前記筒状ケースの開口端に取り付けられた蓋側に摺動することによって、前記蓋を押し開ける働きをするものである。この中間ケースの先端側の形状は、蓋２をスムーズに押し開けることができるような形状に成形しておくことができる。例えば、前記蓋が、第２図（ｂ）のように、筒状ケースに、スプリング７を介して取り付けられている場合には、蓋のスプリング７が取り付けられている側から先に中間ケースの先端が接触してしまうと、中間ケースによって蓋２をスムーズに押し開けることが難しい場合がある。このため、スプリング７が取り付けられているのとは反対側の端部２ａ側から先に中間ケースの先端側が接触するように成形し、蓋２をスムーズに押し開けることができるようにしておくことができる。
【００１３】
この中間ケースは、前記内筒を内装する収納部と当該収納部に連設され前記筒状ケースの内壁に当接する当接部とから構成することができる。
【００１４】
前記収納部は、その断面は、前記筒状ケースの断面と相似形であり、中間ケースが前記筒状ケースに内装された場合に、筒状ケースの蓋が取り付けられた開口側（前側）に位置する部分である。
【００１５】
前記当接部は、前記収納部の後方に連設された下部板と上部板である。上部板は、弾性のある板体とすることができる。下部板と上部板との間隔は、前記筒状ケースの上壁、下壁の内壁に当接できる間隔であればよく、前記収納部への取付位置から後方に向かうに従い、拡がるように設け、当接部の後端の上下方向の寸法は、前記筒状ケースの内壁の上下方向の寸法より拡くしておくことができる。
【００１６】
中間ケースには、前記収納部から前記上部板に亘って、前記内筒の操作片が突出し、前後移動することができる溝を設けることができる。上部板の後端部は、後述する内筒の上部片の後端部が僅かに乗り上げる受け部を構成する。
【００１７】
また、下部板は、後述する中間ケースに内装された内筒の下部片が筒状ケースの下側内壁に当接できるように中央部に前記収納部の下壁から連設される溝を設けることができる。
【００１８】
また、この当接部には、前記中間ケースのロック機構を構成する突起を設けることができる。
【００１９】
このように構成することができる中間ケースは、前記当接部の下部板と上部板との間隔を狭めておいて前記筒状ケース内に挿入することによって、当接部を前記筒状ケースの上壁、下壁の内壁に当接させ、前記筒状ケース内に摺動自在に内装することができる。
【００２０】
前記内筒は、化粧用具、口紅等の化粧品が嵌挿固定される装着部、当該装着部後方に連設される上部片及び下部片とによって構成することができる。
【００２１】
上部片は、後端部の下面を、後端から前方に向けて下り勾配に形成することができ、内筒及び前記中間ケースを操作、摺動させると共に内筒ケースのロック機構を構成する操作片を設けることができる。また、当該操作片は、筒状ケースに設けられた係止凹部に係脱できる突起を備えることができる。
【００２２】
また、この上部片は、可撓性のある板体とすることができる。板体は、弾性材料を用いることができる。
【００２３】
前記下部片は、後端側に前記上部片の後端側に向かって立ち上る立上り片を備えることができる。この立上り片の先端と、前記上部片の後端との間隔Ｗ１は、図１０に示すように、前記中間ケースの上部板の後端部で構成する受け部の幅Ｗ２より広くしておき、受け部が、立上り片の先端と、前記上部片の後端との間を上下方向に通過できるようにしてある。
【００２４】
このように構成することができる内筒は、上部片を前記中間ケースの収納部から前記上部板に亘って設けられた溝から突出させて前記筒状ケースの上壁の内壁に当接させると共に、下部片を前記中間ケースの下部板の中央部に設けることができる溝から突出させて、前記筒状ケースの下壁の内壁に当接させ、前記中間ケース内に摺動自在に内装することができる。
【００２５】
前記中間ケースのロック機構は、中間ケースと筒状ケースとの間のロック機構であり、前記筒状ケースの係止凹部と、当該係止凹部に係脱可能な中間ケースの突起としたものである。ここで、前記筒状ケースの係止凹部は、前記筒状ケースに設けることができる溝の始端に設けた第一の係止凹部と中間部に設けた第二の係止凹部とすることができる。
【００２６】
中間ケースは、前記のように、当接部の下部片と上部片との間隔を狭めておいて前記筒状ケースに挿入して、当接部を前記筒状ケースの上壁、下壁の内壁に当接させ、筒状ケース内に摺動自在に内装することができるため、中間ケースが筒状ケース内で摺動し、前記筒状ケースに設けられた係止凹部の位置と、前記当接部に設けられた突起の位置とが合致すると、当該突起が上部板の弾性によって前記係止凹部側に浮上、係止され、中間ケースは、筒状ケースにロックされる。
【００２７】
すなわち、化粧用具、化粧品等の収納時には、中間ケースの突起は、前記筒状ケースに設けることができる溝の始端に設けた第一の係止凹部に係止され、化粧用具、化粧品等の使用時には、前記筒状ケースに設けることができる溝の中間部に設けた第二の係止凹部に係止されて夫々の位置でロックされることになる。
【００２８】
内筒のロック機構は、内筒と筒状ケースとの間のロック機構であり、前記筒状ケースの係止凹部と、当該係止凹部に係脱可能な内筒の操作片としたものである。当該操作片は、筒状ケースに設けられた係止凹部に係脱できる突起を備えることができる。ここで、前記筒状ケースの係止凹部は、前記筒状ケースに設けることができる溝の始端に設けた第三の係止凹部と終端に設けた第四の係止凹部とすることができる。
【００２９】
内筒は、前記のように、上部片が前記中間ケースの収納部から前記上部板に亘って設けられた溝から突出して前記筒状ケースの上側の内壁に当接すると共に、下部片が前記中間ケースの下部板の中央部に設けることができる溝から突出して、前記筒状ケースの下側の内壁に当接するように前記中間ケース内に摺動自在に内装することができるため、内筒が中間ケース内で摺動し、前記筒状ケースに設けられた係止凹部の位置と、前記操作片又は当該操作片が備えることができる突起の位置とが合致したときに操作片の下圧を解除すると、可撓していた上部片が復帰して、前記突起が前記係止凹部側に浮上、係止され、内筒は、筒状ケースにロックされる。
【００３０】
内筒と中間ケースとの係脱手段は、中間ケースに設けられた受け部と、当該受け部に当接する内筒の立上り片とによって構成される。この係脱手段は、係脱の状態によって、中間ケースと内筒とを同時に、または、内筒のみを摺動させることができるものである。
【００３１】
受け部は、内筒の上部片の後端側下端面に、受け部の上面側が当接して、上部片の後端部が、受け部に僅かに乗り上げ、操作片を下圧したときに上部片と共に一体的に降下するものである。また、受け部は、その後端側が、前記立上がり片の前面側によって支持されることによって内筒と中間ケースとの間の係止を行うものである。
【００３２】
この発明によれば、操作片１３を前後移動させるのみで、蓋の開閉と刷毛などの化粧用具、化粧品の出し入れができるので、化粧品が他物と接触して汚損する等の不都合を生じるおそれがなく、総て片手操作できるので、便利簡易に使用し得るなどの諸効果がある。
【００３３】
【発明を実施するための最良の形態】
この発明の実施例を図面について、説明する。
【００３４】
収納ケース１は、蓋２付の筒状ケース３内へ、中間ケース４が摺動自在に内装され、中間ケース４内へ内筒６が摺動自在に内装されてなるものである。内筒６には、図１図示のように、前端側に刷毛５が取り付けられている。内筒６と、中間ケース４は、夫々筒状ケース３に対するロック機構を備えると共に、内筒６と中間ケースとの間には係脱手段が備えられている。
【００３５】
筒状ケース３は、第５図（ｃ）に示すように一端開口、断面方形の筒体であり、開口部に、蓋２がスプリング７（第２図（ｂ））により閉方向に付勢されて開閉自在に取り付けられている。また、上壁中央に、筒状ケース３の長手方向の中心線と平行に筒状ケース３の開口側（前側）に終端を位置させ、筒状ケース３の開口端が設けられている側と反対側（後側）に始端を位置させた溝８が設けられている。溝８の始端には第一の係止凹部８ａ、第三の係止凹部８ｃが設けられており、溝８の中間部には第二の係止凹部８ｂ、溝８の終端には第四の係止凹部８ｄが設けられている（第５図（ｃ））。
【００３６】
中間ケース４は、第５図（ｂ）に示すように、内筒６を内装する筒状の収納部９と当該収納部９の後端に先端側が連設され筒状ケース３の上壁、下壁の内壁に夫々当接する当接部１０とから構成されている。
【００３７】
筒状の収納部９の断面は、筒状ケース３の断面と相似形の方形である。また収納部９の開口端は、筒状ケース３に内装されたときに、筒状ケース３の蓋２が取り付けられている側に位置することになる端縁９ｂとその反対側の端縁９ａとでは、端縁９ａが先に蓋２に接触するように形成されている。
【００３８】
当接部１０は、収納部９の後方に連設された下部板１１と上部板１２とによって構成されている。ここで、上部板１２は、弾性の板体である。
【００３９】
収納部９の上壁には、第５図（ｂ）図示のように前後方向の溝１４が設けられている。この溝１４は、第１図図示のように内筒６が中間ケース４内に内装され、矢示２０（第１図）、矢示２４（第３図）方向に移動する際に、内筒６の操作片１３（第５図（ａ））が突出し、第５図（ｂ）中、矢示２９に示すように前後移動することを可能ならしめるためのものである。
【００４０】
収納部９の下壁にも、上壁に設けられている溝１４に対応する位置に溝（不図示）が設けられており、この溝は、下部板１１の中央部に設けられている溝１１ａにつながっている。これらの溝は、第１図図示のように内筒６が中間ケース４内に内装され、矢示２０（第１図）、矢示２４（第３図）方向に移動する際に、内筒６の下部片１７（第５図（ａ））の、第５図（ｂ）中、矢示２９に示すように前後移動することを可能ならしめるためのものである。
【００４１】
また、上部板１２の後端部は、受け部１２ａを構成している。この受け部１２ａには、筒状ケース３に内装された際に、筒状ケース３の第一の係止凹部８ａ、第二係止凹部８ｂが設けられている側に対応することになる側に、突起１２ｂが設けられている（第５図（ｂ））。
【００４２】
下部板１１と上部板１２との上下方向の間隔は、収納部９への取付位置から後方に向かうに従い、拡がっていて、当接部１０の後端の上下方向の寸法Ｈ１は、筒状ケース３の内壁上下方向の寸法Ｈ２（第５図（ｃ））より拡くなっている。
【００４３】
このように構成された中間ケース４は、収納部９が、筒状ケース３の開口側に位置するように、当接部１０の下部板１１と上部板１２との間隔を筒状ケース３の内壁上下方向の寸法Ｈ２（第５図（ｃ））より狭めておいて筒状ケース３内に挿入される。これにより、中間ケース４は、筒状ケース３内に摺動自在に内装され、このとき、当接部１０は、上部板１２の弾性によって筒状ケース３の上壁、下壁の内壁に当接している。
【００４４】
内筒６は、刷毛５がその前端側に嵌挿固定されている装着部１５、当該装着部１５の後方に連設されている上部片１６及び下部片１７とによって構成されている。ここで、上部片１６は、可撓性又は弾性のある板体である。
【００４５】
上部片１６は、第９図（ａ）、第１０図図示のように後端側の下面１６ｂが、後端から、装着部１５のある前方に向けて下り勾配に形成されている。また、上側には、操作片１３が設けられている。また、当該操作片１３は、中間ケース４及び筒状ケース３に内装された際に、筒状ケース３の第三の係止凹部８ｃが設けられている側に対応することになる側に、突起１３ａを備えている（第６図（ａ））。
【００４６】
下部片１７は、後端側に上部片１６の後端側に向かって立ち上がる立上がり片１８を備えている（第５図（ａ））。この立上がり片１８の先端１８ａと、上部片１６の後端１６ａとの間隔Ｗ１は、第１０図図示のように、中間ケース４の上部板１２の後端部に設けられている受け部１２ａの幅Ｗ２より広く設けられている。
【００４７】
また、立上がり片１８の先端１８ａの垂直方向位置は、第１図、第９図（ａ）図示の、内筒６が筒状ケース３に対してロックされている状態にあり、かつ、中間ケース４が筒状ケース３に対してロックされている状態にあるときの、内筒６の上部片１６上面と、立上がり片１８の先端１８ａの上面との間の間隔Ｈ３が、少なくとも受け部１２ａの厚みＨ４より大きくなるような位置にされている。
【００４８】
このように構成された内筒６は、上部片１６に設けた操作片１３を、中間ケース４に設けられた溝１４から突出させて、上部片１６の上側面を筒状ケース３の上側の内壁に当接させると共に、下部片１７を中間ケース４の収納部９の下壁に設けられた溝（不図示）及び下部板１１の中央部の溝１１ａから突出させて、筒状ケース３の下側の内壁に当接させ、中間ケース４内に摺動自在に内装されている（第１図及び第２図）。
【００４９】
中間ケース４と筒状ケース３との間に設けられるロック機構は、筒状ケース３の第一の係止凹部８ａ、第二の係止凹部８ｂと、当該第一の係止凹部８ａ、第二の係止凹部８ｂに係脱可能な中間ケース４の突起１２ｂとによって構成されている。
【００５０】
内筒６と筒状ケース３との間に設けられるロック機構は、筒状ケース３の第三の係止凹部８ｃ、第四の係止凹部８ｄと、当該第三の係止凹部８ｃ、第四の係止凹部８ｄに係脱可能な操作片１３に備えられた突起１３ａとによって構成されている。
【００５１】
内筒６と中間ケース４との間に設けられている係脱手段は以下に説明する構成からなるものである。
【００５２】
第１図図示のように、内筒６、中間ケース４とも筒状ケース３内に内装されていて、内筒６が筒状ケース３に対してロックされている状態にあり、かつ、中間ケース４が筒状ケース３に対してロックされている状態にあるときには、内筒６の上部片１６の後端側下端面１６ｂに、中間ケース４の上部板１２の受け部１２ａの上側面が当接するようになっている（第９図（ａ））。内筒６の上部片１６の後端側下端面１６ｂは、第９図（ａ）、第１０図図示のように、後端から前方に向けて下り勾配に形成されており、中間ケース４の上部板１２の受け部１２ａの上側面もこれに対応した形に形成されており、この時点で、内筒６の上部片１６の操作片１３に備えられている突起１３ａと、受け部１２ａの突起１２ｂとは、ほぼ同一の垂直方向高さ位置にあって、それぞれ、筒状ケース３の溝８の第三の係止凹部８ｃ、第一の係止凹部８ａに係合している。すなわち、この時点では、内筒６は筒状ケース３に対してロックされている状態にあり、かつ、中間ケース４も筒状ケース３に対してロックされるようにしてあるので、内筒６と中間ケース４との間の係脱は特に問題にならない。
【００５３】
内筒６の操作片１３を、中間ケース４の上部板１２の弾性に抗して、下方向（第１図中、矢示１９で示す方向）に押し下げると、中間ケース４の上部板１２の受け部１２ａも、内筒６の上部片１６の後端側下端面１６ｂに押されて同様に押し下げられるので、内筒６の突起１３ａと、受け部１２ａの突起１２ｂの、第三の係止凹部８ｃ、第一の係止凹部８ａへの係合状態は同時に解除されるようになっている（第９図（ｂ））。
【００５４】
ここで、操作片１３に前方（第１図中、矢示２０で示す方向）に向かう力を加えると、内筒６と中間ケース４とは、内筒６の上部片１６の後端側下端面１６ｂと、中間ケース４の上部板１２の受け部１２ａの上側面との間の当接面の摩擦によって一体的に、僅かな距離ではあるが、前方へ移動できるようになっている。
【００５５】
内筒６と中間ケース４は、僅かではあっても前方に移動したことによって、突起１２ｂ、突起１３ａは、夫々筒状ケース３の上壁下側に潜り込み、該上壁の内壁に当接するようになっているため、すでに第一の係止凹部８ａ、第三の係止凹部８ｃへは浮き上がることができなくなっている。
【００５６】
この状態から、さらに操作片１３を前方に押し出すと、内筒６のみが前方に移動を開始し、内筒６の上部片１６の後端側下端面１６ｂと、中間ケース４の上部板１２の受け部１２ａの上側面との間の当接状態は解除される（第９図（ｃ））。
【００５７】
この内筒６のみの前方（第１図中、矢示２０で示す方向）への移動の開始によって、受け部１２ａの後端側は、ただちに、内筒６の立上がり片１８の前面側によって支持される状態になる。そこで、中間ケース４も、内筒６の立上がり片１８の前面側から、中間ケース４の受け部１２ａの後端側に加えられる力によって、内筒６と共に前方（第１図中、矢示２０で示す方向）への移動をただちに開始することになる。
【００５８】
すなわち、この状態では、内筒６と中間ケース４との間の係止が行われていることになる。
【００５９】
次いで、内筒６と中間ケース４とが共に、前方（第１図中、矢示２０で示す方向）に移動し、中間ケース４の先端側によって、筒状ケース３の蓋２が開けられる状態になると、中間ケース４の受け部１２ａの突起１２ｂが、筒状ケース３の溝８の第二の係止凹部８ｂの下に位置するようになっている。なお、この時点では、まだ、内筒６の刷毛５前端は、中間ケース４内に収容された状態になっている。
【００６０】
中間ケース４の受け部１２ａの突起１２ｂが、筒状ケース３の溝８の第二の係止凹部８ｂの下に来ると、突起１２ｂは、中間ケース４の上部板１２の弾性によって、溝８の第二の係止凹部８ｂ内に突出する。こうして、突起１２ｂと第２の係止凹部８ｂとの係止が行われ、中間ケース４の筒状ケース３に対するロックが行われる。
【００６１】
一方、内筒６の下部片１７に備えられている立上がり片１８の先端１８ａと、内筒６の上部片１６の後端１６ａとの間隔Ｗ１、中間ケース４の受け部１２ａの幅Ｗ２、立上がり片１８の先端１８ａの垂直方向高さ位置と受け部１２ａの厚みＨ４との間には、前述した関係があるので、中間ケース４の受け部１２ａの突起１２ｂが、筒状ケース３の溝８の第二の係止凹部８ｂに係止されると、第９図（ｅ）図示のように、中間ケース４の受け部１２ａは、内筒６の立上がり片１８の先端１８ａと、上部片１６の後端１６ａとの間をすりぬけてしまい、内筒６のみが前方（第１図中、矢示２０で示す方向）への移動を継続する。
【００６２】
すなわち、この時点で、内筒６と中間ケース４との間の係止状態は解除されたことになる。
【００６３】
内筒６が前方（第１図中、矢示２０で示す方向）への移動を継続し、刷毛５が、第３図、第４図図示のように、筒状ケース３の先端開口から突出すると、内筒６の操作片１３は筒状ケース３の溝８の終端に位置する状態になり、この時点で、操作片１３の下側方向への押圧状態を解除すると、操作片１３の突起１３ａが第四の係止凹部８ｄから突出し、突起１３ａと第四の係止凹部８ｄとの係止が行われ、内筒６の筒状ケース３に対するロックが行われる。
【００６４】
一方、刷毛５を筒状ケース３内に収容する際には、操作片１３を下側方向（第１図に矢示１９で示す方向）に押圧し、突起１３ａの第四の係止凹部８ｄに対する係止を解除し、操作片１３に後方（第３図に矢示２４で示す方向）の力を加え、内筒６を後方に移動させる。
【００６５】
内筒６の下部片１７に備えられている立上がり片１８が、中間ケース４の受け部１２ａの突起１２ｂが筒状ケース３の溝８の第二の係止凹部８ｂに係止されている位置に戻ってくると、第９図（ｅ）を用いて前述した状態と逆に、中間ケース４の受け部１２ａは、内筒６の立上がり片１８の先端１８ａと、上部片１６の後端１６ａとの間をすりぬけ、第９図（ｂ）図示の状態に戻る。これによって、受け部１２ａの上面側が、内筒６の上部片１６の後端側下端面１６ｂに当接された状態となり、中間ケース４の突起１２ｂの、第二の係止凹部８ｂへの係止状態は解除され、中間ケース４の筒状ケース３に対するロックも解除される。このとき、内筒６の上部片１６の後端側下端面１６ｂは、第９図（ａ）、第１０図図示のように、後端から前方に向けて下り勾配に形成されており、中間ケース４の上部板１２の受け部１２ａの上側面もこれに対応した形に形成して、受け部１２ａの上面側が、内筒６の上部片１６の後端側下端面１６ｂに当接し易くしてある。
【００６６】
そして、中間ケース４は、第９図（ｂ）図示のように、その受け部１２ａの上面側が、内筒６の上部片１６の後端側下端面１６ｂに当接された状態で、内筒６と共に、後方（第３図に矢示２４で示す方向）に移動する。
【００６７】
そして、内筒６の操作片１３が筒状ケース３の溝８の始端に位置する状態（第１図）に戻ると、中間ケース４の上部板１２の弾性によって、第９図（ａ）図示の状態の、内筒６が筒状ケース３に対してロックされ、かつ、中間ケース４も筒状ケース３に対してロックされている状態に戻るようにしてある。
【００６８】
このように構成される収納ケース１の使用方法について説明する。
【００６９】
収納ケース１の使用方法を概説すると、先ず内筒６と中間ケース４夫々の筒状ケース３に対するロックを解いて、内筒６と中間ケース４を前進させると、中間ケース４により筒状ケース３の蓋２を開いた時に中間ケース４は筒状ケース３にロックされる。そこで内筒６を更に前進させて、筒状ケース３中から刷毛５を突出させてロックする（第３図、第４図）。この場合に、内筒６の先端、は蓋２の先端より前へ突出しているので刷毛５を使用するのに邪魔になるおそれはない。
【００７０】
次に内筒６を後退させ、刷毛５を中間ケース４内へ収納し、ついで中間ケース４の筒状ケース３へのロックも解かれ、両ケースを同時に後退させ、最後端で筒状ケース３へロックすれば、１サイクルを終了する。前記において中間ケース４の後退により、スプリング７により閉方向に付勢され蓋２は自動的に閉じられる。
【００７１】
なお、図８は、収納ケース１の操作全体を示すブロック図である。
【００７２】
次に、各部の動きを説明しつつ収納ケース１の使用方法を詳説する。
【００７３】
中間ケース４、内筒６は、常時は第１図のように筒状ケース３内に収納されている。このとき、中間ケース４は、受け部１２ａの突起１２ｂが、第一の係止凹部８ａに係止され、内筒６は、突起１３ａが第三の係止凹部８ｃに係止されて、夫々筒状ケース３にロックされている。
【００７４】
受け部１２ａと内筒６の上部片１６は、第６図（ｂ）、第９図（ａ）に示すように、内筒６の上部片１６の後端側下端面１６ｂが、受け部１２ａに乗り上げる状態で、上部片１６の後端側下端面１６ｂに、受け部１２ａの上面側が当接しているが、受け部１２ａと立上り部１８は、当接していない。
【００７５】
刷毛５を使用する時には、まず、操作片１３を矢示１９の方向へ下圧して、突起１３ａの第三の係止凹部８ｃへの係止を解除する。このとき、上部片１６の後端側下端面１６ｂに、受け部１２ａの上面側が当接しているため、中間ケース４の上部板１２も押し下げられて、突起１２ｂの第一の係止凹部８ａへの係止も解除される（第９図（ｂ））。
【００７６】
この状態から、操作片１３を矢示２０の方向へ押し出すと、内筒６と中間ケース４とは、上部片１６の後端側下端面１６ｂと、受け部１２ａの上面側との当接部分の摩擦によって一体的に、矢示２０の方向へ移動する。
【００７７】
このときの移動距離は僅かであるが、突起１２ｂ、突起１３ａは、夫々筒状ケース３の上壁下側に潜り込み、該上壁の内壁に当接するようになっているため、すでに第一の係止凹部８ａ、第三の係止凹部８ｃへは浮き上がることができなくなっている。
【００７８】
この状態から、さらに操作片１３を矢示２０の方向へ押し出すと、上部片１６の後端側下端面１６ｂと、受け部１２ａの上面側との当接が解除される（第９図（ｃ））。
【００７９】
上部片１６の後端側下端面１６ｂと、受け部１２ａの上面側との当接が解除された後は、受け部１２ａの後端に立上り片１８が当接するまで、内筒６のみが前方へ移動し、内筒６と中間ケース４との係止が完了する（第９図（ｄ））。
【００８０】
内筒６と中間ケース４との係止が完了した後、操作片１３の操作によってさらに内筒１３を矢示２０の方向へ押し出すと、中間ケース３も、受け部１２ａの後端に当接した立ち上り片によって前方へ押され、内筒６と中間ケース４とは一体となって矢示２０の方向へ移動する。
【００８１】
中間ケース４が矢示２０の方向へ移動すると、中間ケース４の先端により蓋２を矢示２１のように押し開くことになる。
【００８２】
中間ケース４が蓋２を充分に開く位置まで移動すると、突起１２ｂは第二の係止凹部８ｂの下側まで移動してきている。また、受け部１２ａと内筒６の上部片１６の後端部１６ａとは、重なっていないため、突起１２ｂは、第二の係止凹部８ｂに合致して浮上し、内筒６と中間ケース４との係止が解除され、中間ケース４は、筒状ケース３にロックされる。
【００８３】
内筒６と中間ケース４との係止が解除され、受け部１２ａの後端と、立上り片１８の先端１８ａが当接できなくなると、立上り片１８は、受け部１２ａの下側を通過できるようになり、以後は、内筒６のみが矢示２０の方向へ移動する。
【００８４】
内筒６のみが矢示２０の方向へ前進すれば、刷毛５が矢示２２のように中間ケース４から突出する。
【００８５】
刷毛５が中間ケース４から突出する位置まで内筒６が移動すると、突起１３ａは、第四の係止凹部８ｄの下側まで移動してきている。この突起１３ａが上部片１６の可撓性によって第四の係止凹部８ｄ側に浮上して係止され、内筒６は、筒状ケース３にロックされる。
【００８６】
この状態で刷毛５は、使用することになるが、刷毛５は内筒６の装着部１５に嵌挿固定されており、内筒６は、前記のように筒状ケース３にロックされているので、刷毛５を安定した状態で使用することができる（第３図、第４図）。
【００８７】
次に、刷毛５を収納しようとする時には、まず、操作片１３を矢示２３の方向へ下圧して、突起１３ａの第四の係止凹部８ｄへの係止を解除すると共に、操作片１３を矢示２４の方向へ移動すると、突起１３ａは、筒状ケース３内に潜り込んで、内筒６が矢示２４の方向へ移動する。このとき、突起１２ｂは、第二の係止凹部８ｂに係止されたままであるので、中間ケース４が摺動してしまうことがなく、刷毛５は、穂先まで完全に中間ケース４内に収納される。
【００８８】
内筒６が、刷毛５が中間ケース４内に完全に収納される程度まで移動して、上部片１６の後端１６ａが受け部１２ａに接触すると、上部片１６は、後端側下端面１６ｂが、第９図（ａ）、第１０図図示のように、後端から前方に向けて下り勾配に形成されており、中間ケース４の上部板１２の受け部１２ａの上側面もこれに対応した形に形成されているため、上部片１６の後端１６ａが受け部１２ａ上へ乗り上げ、上部板１２を矢示２５の方向へ押し下げるので、突起１２ｂの第二の係止凹部８ｂへの係止を解除できる。
【００８９】
突起１２ｂの第二の係止凹部８ｂへの係止が解除されると、中間ケース４は、受け部１２ａが上部片１６に押されることによって、矢示１４の方向に移動し、筒状ケース３内に収納される（第９図（ａ））。
【００９０】
中間ケース４が筒状ケース３内にほぼ収納されると、突起１２ｂは第一の係止凹部８ａ、第三の係止凹部８ｃの下側まで移動してきているため、突起１２ｂが上部片１２の弾性によって第一の係止凹部８ａ側に浮上して係止され、中間ケース４は、筒状ケース３にロックされる。
【００９１】
また、同時に、内筒６の突起１３ａも、第三の係止凹部８ｃの下側まで移動してきているため、突起１３ａが上部板１６の弾性によって第三の係止凹部８ｃ側に浮上して係止され、内筒６は、筒状ケース３にロックされる。
【００９２】
中間ケース４が筒状ケース３内に収納されると、蓋２は、スプリング７により閉方向に付勢されているので、自動的に閉鎖する。
【００９３】
以上の行程で、全体が旧位置（第１図）に復帰する。
【００９４】
第７図中（ａ）は、内筒の装着部を先端側１５ａと後端側１５ｂに２分し、先端側１５ａに刷毛５を固定し、後端側１５ｂの後方に上部片１６及び下部片１７を連設した場合の実施例である。
【００９５】
このようにすれば、装着部の先端側１５ａを種々の化粧用具、化粧用品に取り替えることができ、先端側１５ａの一側を、後端側１５ｂに嵌装して固定すれば一体化して使用することができる。
【００９６】
次に第７図中（ｂ）は、他の実施例の内筒１５ｃであって、スプリング２６により、操作片１３を常時に上方へ付勢している。
【００９７】
また第７図中（ｃ）は、他の実施例の中間ケース４ａであって、実施例１の上部板１２に代えて、スプリング２７により弾性が付与される、上部片２８が設けられている。
【００９８】
以上、この発明の好ましい実施例を添付図面を用いて説明したが、この発明はこの実施例に限定されるものではなく、特許請求の範囲に記載した発明の範囲内で、種々に変更可能である。
【００９９】
例えば、筒状ケース、中間ケースの断面形状は、方形に限られるものでなく、円形、三角形、その他の多角形等、種々の形状とすることができる。
【図面の簡単な説明】
【図１】  この発明の実施例の一部を断面した正面図である。
【図２】  （ａ）は、同じく一部を断面した平面図である。（ｂ）は、同じく蓋の取付けを示す一部拡大斜視図である。
【図３】  同じく刷毛を出した場合の一部を断面した正面図である。
【図４】  同じく一部を断面した平面図である。
【図５】  （ａ）は、同じく内筒の斜視図である。（ｂ）は、同じく中間ケースの斜視図である。（ｃ）は、同じく筒状ケースの斜視図である。
【図６】  （ａ）同じく上部片と受け部の重なり状態を示す一部拡大斜視図である。（ｂ）は、同じく操作片の上昇時の受け部と立上り片の関係を示す説明図である。（ｃ）は、同じく操作片の下降時の受け部と立上り片の関係を示す説明図である。
【図７】  （ａ）は、同じく内筒の他の実施例の分解正面図である。（ｂ）は、同じく内筒の他の実施例の正面図である。（ｃ）は、同じく中間ケースの他の実施例の正面図である。
【図８】  同じく操作全体を示すブロック図である。
【図９】  （ａ）は、同じく受け部に内筒の上部片が重なっている状態の説明図である。（ｂ）は、同じく受け部に内筒の上部片が重なった状態で操作片を押し下げた状態の説明図である。（ｃ）は、同じく受け部と、内筒の上部片との重なりが解除された状態の説明図である。（ｄ）は、同じく受け部の後端に立ち上片が当接した状態の説明図である。（ｅ）は、同じく受け部の下側を立ち上片が通過した状態の説明図である。
【図１０】  立上り片の先端と、上部片の後端との間隔Ｗ１と、受け部の幅Ｗ２との関係を説明する概念図である。
【図１】
0003806838.tif 000002
【図２】
0003806838.tif 000003
【図３】
0003806838.tif 000004
【図４】
0003806838.tif 000005
【図５】
0003806838.tif 000006
【図６】
0003806838.tif 000007
【図７】
0003806838.tif 000008
【図８】
0003806838.tif 000009
【図９】
0003806838.tif 000010
【図１０】
0003806838.tif 000011